【事件の表示】
　特願２０１５−　３７２６０号「照明用レンズ、発光装置及び照明器具」拒絶査定不服審判事件〔平成２８年　９月　５日出願公開、特開２０１６−１６２４９７号、請求項の数（１０）〕について、次のとおり審決する。
【結　論】
　原査定を取り消す。
　本願の発明は、特許すべきものとする。
【理　由】
第１　手続の経緯
　本願は、平成２７年２月２６日の出願であって、平成３０年９月１９日付けで拒絶理由通知がされ、平成３０年１１月２８日に意見書が提出され、平成３１年３月２７日付けで拒絶査定がされ、これに対し、令和１年５月２２日に拒絶査定不服審判の請求がされると同時に手続補正書が提出されたものである。
第２　原査定の概要
　原査定（平成３１年３月２７日付け拒絶査定）の概要は次のとおりである。
　本願請求項１〜５、７、８に係る発明は、以下の引用文献１、２に記載された発明及び周知技術に基いて、その発明の属する技術の分野における通常の知識を有する者（以下「当業者」という。）が容易に発明できたものであり、また、本願請求項９、１０に係る発明は、以下の引用文献１〜３に記載された発明及び周知技術に基いて、当業者が容易に発明できたものであるから、特許法第２９条第２項の規定により特許を受けることができない。
引用文献等一覧
１.特開２００９−２４５９１０号公報
２.米国特許出願公開第２０１１／０１４９５８１号明細書(周知技術を示す文献)
３.特開２０１２−２２１７６９号公報(周知技術を示す文献)
　なお、本願請求項６に係る発明については、拒絶査定の対象とされていない。
第３　本願発明
　本願請求項１〜５、７〜１０に係る発明（以下それぞれ「本願発明１」等」という。）は、令和１年５月２２日付けの手続補正書により補正された特許請求の範囲の請求項１〜５、７〜１０に記載された事項により特定される以下のとおりの発明である。
「【請求項１】
　第１表面に近づくに従って径が大きくなる外周面を有し、前記外周面に周囲が囲まれた中空部が形成され、前記中空部が前記第１表面で開口する第１レンズと、
　中空ではない円柱形状の調整部を有し、前記調整部が前記外周面の中心軸に沿って前記中空部を移動可能な第２レンズと、
を備えた照明用レンズ。
【請求項２】
　前記調整部は、前記第１表面の反対側を向く第２表面が前記中空部に配置される請求項１に記載の照明用レンズ。
【請求項３】
　前記第２表面は、凸形状又は凹形状である請求項２に記載の照明用レンズ。
【請求項４】
　前記第１表面は平坦であり、
　前記調整部は、前記第１表面に直交する方向に沿って前記中空部を移動する
請求項１から請求項３の何れか一項に記載の照明用レンズ。
【請求項５】
　前記中空部の少なくとも一部は円柱形状であり、
　前記調整部の中心軸は、前記中空部の円柱形状である部分の中心軸と同一直線上に配置された
請求項１から請求項４の何れか一項に記載の照明用レンズ。
【請求項７】
　前記第１レンズは、円盤形状の鍔部と円錐台形状の集光部とを備え、
　前記中空部は、前記鍔部と前記集光部とを貫通する
請求項１から請求項６の何れか一項に記載の照明用レンズ。
【請求項８】
　請求項１から請求項７の何れか一項に記載の前記照明用レンズと、
　前記第１表面の反対側を向く前記調整部の第２表面及び前記中空部を形成する前記第１レンズの内周面に光を照射する光源部と、
　前記照明用レンズを保持するホルダー部と、
を備えた発光装置。
【請求項９】
　前記ホルダー部は、
　前記第１レンズを保持する円筒形状の第１ホルダーと、
　前記第２レンズを保持し、前記第１ホルダーの中心軸に沿って移動可能な円筒形状の第２ホルダーと、
を備えた請求項８に記載の発光装置。
【請求項１０】
　請求項８又は請求項９に記載の前記発光装置と、
　前記発光装置が取り付けられ、前記発光装置から発生する熱を放熱するための放熱部を有する本体部と、
を備えた照明器具。」
第４　引用文献、引用発明等
１　引用文献１について
（１）記載事項
　原査定の拒絶の理由に引用された引用文献１には次の記載がある（下線は当審で付加。以下同様。）。
（１ａ）「【発明が解決しようとする課題】
【０００５】
　本発明は、遠距離到達
照明器具
【課題を解決するための手段】
【０００６】
　本発明は、レンズ５（以下レンズ）の頂点に近接させてＬＥＤチップ２を配置し、円錐の頂角を変えることで、照射対象の距離及び照明スポットの大きさを任意に設定できるようにした。
【０００７】
　また、レンズ５を取り囲むようにリフレクタ３を配し、レンズ５で補足出来なかった光を補足し、所定の方向に反射屈折させながら出光することで、出光効率を向上させる。
【０００８】
　また、
レンズ３の出光側の端面に近接し、内部が空洞になっている円筒で、レンズ５で集光され外部に拡散しようとする光を封じ込めて対象物に導光する。
【０００９】
　また、レンズ５の出光側の端面に、内部が空洞の円筒（以下円筒）と円筒の外径と概略等しい開口径とリフレクタ３の外形に概略等しい外形を有する透光板４或いはフレネルレンズ４を、リフレクタ３を塞ぐように組み付けることで、ＬＥＤチップ２とレンズ５の位置関係を確定出来るようにした。
【００１０】
　また、透光板４或いはフレネルレンズ４およびリフレクタ３に位置決め用の突起或いは凹み（図２）を設けて、両者をかん合させることで、ＬＥＤチップ２とレンズ５の位置関係を補助手段なしで確定することが出来るようにした。」
（合議体注；段落【０００５】、【０００７】に「補足」との記載があるが、「捕捉」の誤記であることは明らかである。次の（１ｂ）も同様。また、段落【０００８】に「レンズ３」との記載があるが、「レンズ５」の誤記であることも明らかである。）
（１ｂ）「【００１３】
　　図１に、本発明の実施例を示す。アルミ基板等の放熱性が良好な
基板１に絶縁皮膜を介してＬＥＤチップ２が実装される。ＬＥＤチップ２に近接させて、一方の端面が発光方向に指向性を持つ略円錐状に成形されたレンズ５が配置し、ＬＥＤチップ２とレンズ５との距離、あるいは略円錐の頂角を変えることで、照射対象の距離及び照明スポットの大きさに応じて任意に設定できるようになっている。また、レンズで補足出来なかった光は、レンズを取り囲むように配置したリフレクタ３で補足し、所定の方向に反射屈折させながら出光することで、出光効率が著しく向上する。
　
ＬＥＤチップ２とレンズの位置関係を確定させるには、レンズ５の出光側に、円筒と円筒の外径と概略等しい開口径とリフレクタ３の外形に概略等しい外形を有する透光板４或いはフレネルレンズ４を、リフレクタ３を塞ぐように組み付ける。
透光板４或いはフレネルレンズ４およびリフレクタ３に位置決め用の突起或いは凹み
を設けて両者をかん合させることで、ＬＥＤチップ２とレンズ５との位置関係を補助手段なしで確定させる
（１ｃ）【図１】は次のとおりである。
（１ｄ）【図２】は次のとおりである。
（２）認定事項
　上記記載事項（１ｃ）、（１ｄ）より、「リフレクタ３」は、その上面に近づくに従って径が大きくなる外周面を有していること、外周面に周囲が囲まれた中空部が形成されていること、及び、中空部が上面で開口していることが看取できる。
（３）引用発明
　上記（１）、（２）より、引用文献１には次の発明（以下「引用発明」という。）が記載されているものと認める。
「基板１に絶縁皮膜を介してＬＥＤチップ２が実装され、
　ＬＥＤチップ２に近接させて、一方の端面が発光方向に指向性を持つ略円錐状に成形されたレンズ５が配置され、　
　ＬＥＤチップ２とレンズ５との距離、あるいは略円錐の頂角を変えることで、照射対象の距離及び照明スポットの大きさに応じて任意に設定できるようになっており、
　レンズ５で捕捉出来なかった光は、レンズ５を取り囲むように配置したリフレクタ３で捕捉し、所定の方向に反射屈折させながら出光することで、出光効率が著しく向上させ、
　リフレクタ３は、上面に近づくに従って径が大きくなる外周面を有し、外周面に周囲が囲まれた中空部が形成され、中空部が上面で開口しており、
　ＬＥＤチップ２とレンズ５の位置関係を確定させるため、レンズ５の出光側の端面に近接し、内部が空洞になっている円筒で、レンズ５で集光され外部に拡散しようとする光を封じ込めて対象物に導光する円筒と、円筒の外径と概略等しい開口径と、リフレクタ３の外形に概略等しい外形を有する透光板４或いはフレネルレンズ４を、リフレクタ３を塞ぐように組み付け、
　透光板４或いはフレネルレンズ４およびリフレクタ３に位置決め用の突起或いは凹みを設けて両者をかん合させることで、ＬＥＤチップ２とレンズ５との位置関係を補助手段なしで確定させる照明器具に用いるレンズ５及びリフレクタ３。」
２　引用文献２について
（１）記載事項
　原査定の拒絶の理由に引用された引用文献２には次の記載がある。
（２ａ）「【0024】Certain embodiments of the present invention relate to secondary lenses for LED-based lamps, and in particular to secondary lenses with an integrated lamp cover. The lamp cover can be formed as an outward radial extension of the front face of a 
total internal reflection (TIR) lens
【0025】FIG. 1 is a side cross sectional view of a lens 100 according to an embodiment of the present invention. 
Lens 100 has a TIR body portion 102 with a generally cylindrical open channel 104 extending therethrough from a front surface 106 to a rear surface108. 
（２ｂ）「【0050】
Lens 100 can be integrated into an LED-based lamp
（２ｃ）ＦＩＧ．１は次のとおりである。
（２ｄ）ＦＩＧ．７Ａは次のとおりである。
（２）周知技術
　上記（１）より、引用文献２には次の周知技術が記載されているものと認める（なお、当審で翻訳した文により表記する。）。
「ＬＥＤ型ランプに組み込まれるレンズであって、
　レンズは、前面から後面まで延在する全体として円筒形の開放チャネルと内部全反射の本体部分を有すること。」
第５　対比・判断
１　本願発明１について
（１）対比
　本願発明１と引用発明とを対比する。
ア　後者の「照明器具に用いるレンズ５及びリフレクタ３」と、前者の「照明用レンズ」とは、「照明用光学部材」である点で共通するといえる。
イ　後者の「上面に近づくに従って径が大きくなる外周面を有し、外周面に周囲が囲まれた中空部が形成され、中空部が上面で開口して」いる「レンズ５を取り囲むように配置したリフレクタ３」と、前者の「第１表面に近づくに従って径が大きくなる外周面を有し、前記外周面に周囲が囲まれた中空部が形成され、前記中空部が前記第１表面で開口する第１レンズ」とは、「第１表面に近づくに従って径が大きくなる外周面を有し、前記外周面に周囲が囲まれた中空部が形成され、前記中空部が前記第１表面で開口する第１光学素子」である点で共通するといえる。
ウ　後者の「レンズ５」と、「レンズ５の出光側の端面に近接し、内部が空洞になっている円筒で、レンズ５で集光され外部に拡散しようとする光を封じ込めて対象物に導光する円筒」を有する「透光板４或いはフレネルレンズ４」とを合わせたものと、前者の「中空ではない円柱形状の調整部を有し、前記調整部が前記外周面の中心軸に沿って前記中空部を移動可能な第２レンズ」とは、「円柱形状の部分を有する第２レンズ」である点で共通するといえる。
エ　以上より、本願発明１と引用発明との一致点、相違点は次のとおりと認める。
〔一致点〕
「第１表面に近づくに従って径が大きくなる外周面を有し、前記外周面に周囲が囲まれた中空部が形成され、前記中空部が前記第１表面で開口する第１光学素子と、
　円柱形状の部分を有する第２レンズと、
を備えた照明用光学部材。」
〔相違点１〕
「第１光学素子」及び「照明用光学部材」について、本願発明１が「第１レンズ」及び「照明用レンズ」であるのに対し、引用発明は「リフレクタ３」及び「照明器具に用いるレンズ５及びリフレクタ３」である点。
〔相違点２〕
「円柱形状の部分」について、本願発明１が「中空ではない円柱形状の調整部」であり、「前記調整部が前記外周面の中心軸に沿って前記中空部を移動可能な」ものであるのに対し、引用発明は「内部が空洞になっている」「レンズ５で集光され外部に拡散しようとする光を封じ込めて対象物に導光」する「円筒」であり、「リフレクタ３」の「中空部」に対し移動可能であることの特定がない点。
（２）判断
　事案に鑑み、相違点２について検討する。
　引用発明は、「ＬＥＤチップ２とレンズ５との距離」「を変えることで、」「照射対象の距離及び照明スポットの大きさに応じて任意に設定できるようになって」いるという事項を有するものであるから、当該事項から、「ＬＥＤチップ２」に対し「レンズ５」を移動可能とすることは、当業者であれば容易に想到し得たということができる。
　しかしながら、引用発明は「ＬＥＤチップ２とレンズ５の位置関係を確定させるため、レンズ５の出光側の端面に近接し、内部が空洞になっている円筒で、レンズ５で集光され外部に拡散しようとする光を封じ込めて対象物に導光する円筒と、円筒の外径と概略等しい開口径と、リフレクタ３の外形に概略等しい外形を有する透光板４或いはフレネルレンズ４を、リフレクタ３を塞ぐように組み付け、透光板４或いはフレネルレンズ４およびリフレクタ３に位置決め用の突起或いは凹みを設けて両者をかん合させる」ものであるから、「レンズ５」と「円筒」を有する「透光板４或いはフレネルレンズ４」とを合わせたもの（第２レンズ）と、「リフレクタ３」（第１光学素子）との相対的な位置関係は固定されたものであり、それらを合わせたもの全体が「ＬＥＤチップ２」に対し、移動可能なものになる。
　そうすると、「円筒」は「リフレクタ３」の中空部に相当するものに対し移動可能なものとはならず、少なくともこの点において、上記相違点２に係る本願発明１の発明特定事項を有するものには至らないし、移動可能に変更する動機付けがあるともいえない。
　また、引用文献２に記載された周知技術を検討しても、上記「第４ ２（２）」から明らかなように、上記相違点２に係る本願発明１の発明特定事項（特に「前記調整部が前記外周面の中心軸に沿って前記中空部を移動可能な」ことに係る事項）を開示ないし示唆するものではなく、引用発明に引用文献２に記載された技術的事項を適用したとしても、上記相違点２に係る本願発明１の発明特定事項を有するものには至らない。
　したがって、他の相違点について検討するまでもなく、本願発明１は、引用発明及び引用文献２に記載された周知技術に基いて、当業者が容易に発明をすることができたものではない。
２　本願発明２〜５、７〜１０について
　本願発明２〜５、７〜１０は、本願発明１の発明特定事項を全て含み、さらに限定を加えたものであるので、本願発明１と同様の理由により、本願発明２〜５、７、８は、引用発明及び引用文献２に記載された周知技術に基いて、当業者が容易に発明をすることができたものではなく、本願発明９、１０は、引用発明及び引用文献２、３に記載された周知技術に基いて、当業者が容易に発明をすることができたものではない。
第６　むすび
　以上のとおり、原査定の理由によっては、本願を拒絶することはできない。
　また、他に本願を拒絶すべき理由を発見しない。
　よって、結論のとおり審決する。